(57)【要約】【課題】  利用者の操作に関係する情報を収集できるドキュメント表示装置を提供する。【解決手段】  コンピュータ可読な符号画像を少なくとも一つ含むドキュメントを表示するドキュメント表示装置であって、当該ドキュメントに対する利用者の操作に関係する符号画像を取得し、この取得した符号画像に基づいて、所定情報を出力するドキュメント表示装置である。【選択図】        図１
2006092047.tif 000002
【特許請求の範囲】
【請求項１】
コンピュータ可読な符号画像を少なくとも一つ含むドキュメントを表示するドキュメント表示装置であって、
前記ドキュメントに対する利用者の操作に関係する前記符号画像を取得する取得手段と、
前記取得した符号画像に基づいて、所定情報を出力する出力手段と、
を含むことを特徴とするドキュメント表示装置。
【請求項２】
請求項１に記載のドキュメント表示装置であって、
前記取得手段は、前記ドキュメントに対する利用者の操作に関係する前記符号画像として、表示画面内に含まれる符号画像のリストを取得することを特徴とするドキュメント表示装置。
【請求項３】
コンピュータ可読な符号画像を少なくとも一つ含むドキュメントを表示するドキュメント表示装置を用い、
前記ドキュメントに対する利用者の操作に関係する前記符号画像を取得する工程と、
前記取得した符号画像に基づいて、所定情報を出力する出力する工程と、
を実行させることを特徴とするドキュメント処理方法。
【請求項４】
コンピュータ可読な符号画像を少なくとも一つ含むドキュメントを表示するドキュメント表示装置に、
前記ドキュメントに対する利用者の操作に関係する前記符号画像を取得する手順と、
前記取得した符号画像に基づいて、所定情報を出力する手順と、
を実行させることを特徴とするプログラム。
【発明の詳細な説明】
【技術分野】
【０００１】
本発明は、スキャンされた画像などのドキュメントを表示するドキュメント表示装置に関する。
【背景技術】
【０００２】
画像内に記述的なタグを付して、画像の検索等の用に供する技術が開発されている（特許文献１）。また、画像内にコンピュータ可読な符号を含める技術は、「電子透かし」などの技術として広く知られている（例えば特許庁標準技術集の「電子透かし」）。
【特許文献１】特表２００１−５１８６６９号公報
【発明の開示】
【発明が解決しようとする課題】
【０００３】
ここで上記従来の特許文献１に開示された技術によれば、広告チラシやパンフレットなどに記述的なタグを付することができる。例えばパンフレットに記載された各製品ごとに記述的なタグを付しておけば、当該タグに関係付けられた付加的な情報を提供する処理などを遂行することはできる。
【０００４】
しかしながら、このときパンフレット等のドキュメントに対して行われたクリックや拡大などの利用者の指示操作に関係する情報は、何ら収集されることがなかった。こうした利用者の操作に関係する情報は、パンフレット上のどの部分に興味を持たれているか等といったマーケティングに資する情報として有用である。
【０００５】
本発明は上記実情に鑑みて為されたもので、利用者の操作に関係する情報を収集できるドキュメント表示装置を提供することを、その目的の一つとする。
【課題を解決するための手段】
【０００６】
上記従来例の問題点を解決するための本発明は、コンピュータ可読な符号画像を少なくとも一つ含むドキュメントを表示するドキュメント表示装置であって、前記ドキュメントに対する利用者の操作に関係する前記符号画像を取得する取得手段と、前記取得した符号画像に基づいて、所定情報を出力する出力手段と、を含むことを特徴としている。
【０００７】
ここで前記取得手段は、前記ドキュメントに対する利用者の操作に関係する前記符号画像として、表示画面内に含まれる符号画像のリストを取得することとしてもよい。
【０００８】
また、本発明の一態様に係るドキュメントの処理方法は、コンピュータ可読な符号画像を少なくとも一つ含むドキュメントを表示するドキュメント表示装置を用い、前記ドキュメントに対する利用者の操作に関係する前記符号画像を取得する工程と、前記取得した符号画像に基づいて、所定情報を出力する出力する工程と、を実行させることを特徴としている。
【０００９】
さらに、本発明の別の態様に係るプログラムは、コンピュータ可読な符号画像を少なくとも一つ含むドキュメントを表示するドキュメント表示装置に、前記ドキュメントに対する利用者の操作に関係する前記符号画像を取得する手順と、前記取得した符号画像に基づいて、所定情報を出力する手順と、を実行させることを特徴としている。
【発明を実施するための最良の形態】
【００１０】
本発明の実施の形態について図面を参照しながら説明する。本発明の実施の形態に係るドキュメント表示装置１は、図１に示すように、制御部１１と、記憶部１２と、操作部１３と、表示部１４と、通信部１５とを含んで構成されている。また、このドキュメント表示装置１は、ネットワークを介して、ドキュメント提供者側のサーバ装置２に接続されている。
【００１１】
制御部１１は、ＣＰＵなどで実現でき、記憶部１２に格納されているプログラムに従って動作している。この制御部１１の処理の具体的な内容については、後に詳しく説明する。記憶部１２は、ＲＡＭ（Random Access Memory）や、ＲＯＭ（Read Only Memory）等のメモリ素子、並びにハードディスク等を含む。この記憶部１２は、制御部１１によって実行されるプログラムが保持される。また、この記憶部１２は、制御部１１の処理に必要となるデータを保持する。
【００１２】
操作部１３は、マウスやキーボード等であり、処理対象となるドキュメントに関する操作（ドキュメント上の画像のクリックやドキュメント画像の拡大表示操作）等を受け入れて制御部１１に出力する。表示部１４は、ディスプレイ等であり、制御部１１から入力される指示に従って情報を表示する。具体的にこの表示部１４は、制御部１１から入力される指示に従って、ドキュメントを表示する。通信部１５は、制御部１１から入力される指示に従って、ネットワークを介して情報を送信する。また、この通信部１５は、ネットワークを介して到来する情報を受信して制御部１１に出力する。
【００１３】
本実施の形態のドキュメント表示装置１によって表示されるドキュメントは、具体的には、次のようにして生成されたものである。すなわち、ドキュメントの提供者は、例えばスキャナでドキュメントの原稿を読み取ることで、ドキュメントの画像データを生成する。そしてコンピュータを用いて、ドキュメントの画像データ上に少なくとも一つの領域を特定して、当該領域にそれぞれ関連付けるべき関連情報を表す符号画像を埋め込む。
【００１４】
一例として製品パンフレットをドキュメントの原稿として読み取った場合、その製品パンフレット上の製品名欄の画像データ部分に関連情報に基づく符号画像として埋め込んでおく。ここで符号画像の埋め込みは、電子透かしの方法等を用いることができる。なお、本実施の形態では、符号画像は必ずしも視認困難となっている必要はなく、符号画像としてのバーコードなどを製品名欄近傍に合成してもよい。また、ドキュメントの提供者側では、サーバ装置２をウエブサーバとして動作させ、関連情報を埋め込んだドキュメントを、サーバ装置２によって提供できるように設定しておく。
【００１５】
ここで関連情報は、例えばサーバ装置２に設定されたＣＧＩ（Common Gateway Interface）のプログラムのＵＲＬ（Uniform Resource Locator）と、各関連情報ごとに固有に発行された識別情報とを含むものとする。また、このサーバ装置２には、図２に示すように、上記識別情報と、当該識別情報を含む関連情報が設定されているドキュメントや、そのページ、場所（例えば製品名）を識別する情報（関連箇所特定情報）と、参照回数の情報とを関連付けたデータベースを保持させておく。
【００１６】
そしてＣＧＩプログラムでは、上記識別情報をパラメータとして利用者側のドキュメント表示装置１から受け取り、当該識別情報に関連付けられた参照回数の情報をインクリメントする処理を行う。なお、ここで識別情報が複数受信された場合は、当該複数の識別情報の各々に関連付けられた参照回数の情報をインクリメントする。
【００１７】
制御部１１は、サーバ装置２が提供するドキュメントをネットワークを介して取得して表示する。この表示処理は、一般的なウエブブラウザと同様の処理によって実現できる。また、制御部１１は、表示しているドキュメント上で利用者が所定の操作を行うと、当該操作に関係する符号画像を取得し、この取得した符号画像に基づいて所定情報を出力する処理を行う。
【００１８】
具体的に制御部１１は、ドキュメントの画像の一部を拡大する指示操作が行われると、当該拡大表示されたドキュメントの画像の一部に含まれる（つまり、表示部１４においてその表示画面に含まれている）すべての符号画像のリストを取得し、この取得した符号画像の各々から関連情報を復号する。本実施の形態では、この関連情報に、各符号画像に固有の識別情報と、呼び出すべきＣＧＩプログラムのＵＲＬとが含まれているので、これらの情報が復号によって得られることになる。
【００１９】
制御部１１は、復号によって得られた関連情報の各々を順次、注目関連情報として選択し、注目関連情報に含まれているＣＧＩプログラムのＵＲＬに対して、当該注目関連情報に含まれる識別情報を関連付けるデータベースを生成する。そしてＣＧＩプログラムのＵＲＬごとに、それぞれに対して送信するべき識別情報のリストが生成される。
【００２０】
そして制御部１１は、識別情報のリストをパラメータとして、上記データベースにより関連づけられたＣＧＩプログラムのＵＲＬを呼び出すための情報を、ネットワークを介して送信出力する。
【００２１】
サーバ装置２は、この送信出力された情報に基づいて、ＵＲＬによって特定されるＣＧＩプログラムの実行を開始し、パラメータとして受信した識別情報のリストを受け取る。そしてこれら識別情報に関連付けて記憶されている各参照回数の情報をインクリメントする。
【００２２】
なお、ここでは拡大表示の指示操作の例について述べたが、これだけでなく、符号画像部分をクリックする指示操作が行われた場合は、当該クリックされた場所に記録されている符号画像を取得して復号し、当該復号によって得られた関連情報に含まれる識別情報をパラメータとして、同じく当該関連情報に含まれるＣＧＩプログラムのＵＲＬを呼び出すようにしてもよい。
【００２３】
また、ＣＧＩプログラムを呼び出す際に、利用者による拡大縮小の操作やコピー操作等の操作内容の情報を加えて送信出力するようにしてもよい。
【００２４】
本実施の形態によると、ドキュメント表示装置が上記の動作を行うことで、ドキュメントの提供者側において、利用者がクリック操作や拡大表示した箇所の統計情報、すなわち利用者の操作に関係する情報を収集できるようになる。そして、このデータベースの内容を表示させるなどして、当該操作に関係する情報を参照し、マーケティング等に資することができる。
【００２５】
また、ＣＧＩプログラムを呼び出すタイミングは、利用者によって操作がなされた時に限られるものではなく、所定の日時にまとめて行うものであってもよく、あるいは、サーバ装置からの問合せに応じてデータベースから対応する識別情報を送信出力するものであってもよい。
【００２６】
また、ここではサーバ装置２において、識別情報と参照回数とを関連付けたデータベースを保持することとしているが、これに代えて、例えばサーバ装置２側において提供するドキュメントに、当該ドキュメントに含まれる符号画像の識別情報とその参照回数の情報とを関連づけて記録しておくこととしてもよい。
【００２７】
さらに、ドキュメントの各ページの画像データに、当該画像データと略同サイズの関連画像データ（いわば別レイヤーの画像データ）を関連付け、当該関連画像データ上で、識別情報によって識別される符号画像の配置位置に対応する位置に、参照回数の情報を記述してもよい。この情報の記述は、例えばバーコードなどの符号画像によって行ってもよい。
【図面の簡単な説明】
【００２８】
【図１】本発明の実施の形態に係るドキュメント表示装置の構成、及び接続例を表すブロック図である。
【図２】集計結果のデータベースの内容例を表す説明図である。
【符号の説明】
【００２９】
１  ドキュメント表示装置、２  画像形成装置、１１  制御部、１２  記憶部、１３  操作部、１４  表示部、１５  通信部。
【図１】
2006092047.tif 000003
【図２】
2006092047.tif 000004